(57)【要約】【課題】ユーザの利便性が向上する動画編集装置を提供する。【解決手段】本動画編集装置は、複数の画像を編集し、編集後の動画を作成する動画編集装置１であって、編集後の動画の編集条件を入力する入力部と、入力された編集条件に基づき、複数の画像が編集後の動画に使用される使用割合を算出する使用割合算出部と、算出された使用割合を報知する報知部と、を備える。【選択図】図１
2013232813.tif 000002
【特許請求の範囲】
【請求項１】
複数の画像を編集し、編集後の動画を作成する動画編集装置であって、
前記編集後の動画の編集条件を入力する入力部と、
前記入力部により入力された編集条件に基づき、前記複数の画像が前記編集後の動画に使用される使用割合を算出する使用割合算出部と、
前記使用割合算出部によって算出された使用割合を報知する報知部と、
を備える動画編集装置。
【請求項２】
請求項１に記載の動画編集装置であって、
前記報知部は、前記入力部によって前記編集条件が直接入力される場合、前記編集条件に対応する前記使用割合を報知する動画編集装置。
【請求項３】
請求項１に記載の動画編集装置であって、
前記報知部は、前記入力部によって前記編集条件が選択的に入力される場合、各編集条件と、各編集条件に対応する各使用割合と、を報知する動画編集装置。
【請求項４】
請求項１ないし３のいずれか１項に記載の動画編集装置であって、
前記報知部は、前記編集条件に対応する前記使用割合が所定範囲にある場合、前記編集条件に対応する前記使用割合とともに、前記編集条件に基づく動画編集を推薦する旨を報知する動画編集装置。
【請求項５】
請求項３に記載の動画編集装置であって、
前記報知部は、前記入力部によって前記編集条件が選択的に入力される場合、前記使用割合が所定値以上である編集条件の報知を中止、又は所定値以上である旨を報知する動画編集装置。
【請求項６】
請求項１ないし５のいずれか１項に記載の動画編集装置であって、更に、
前記入力部は、前記編集条件として、前記編集後の動画の再生時間を入力し、
前記使用割合算出部は、前記再生時間に基づき、前記使用割合を算出する動画編集装置。
【請求項７】
請求項１ないし５のいずれか１項に記載の動画編集装置であって、
前記入力部は、前記編集条件として、前記編集後の動画の再生時に出力される音楽の情報を入力し、
前記使用割合算出部は、前記音楽の長さに基づき、前記使用割合を算出する動画編集装置。
【請求項８】
請求項１ないし５のいずれか１項に記載の動画編集装置であって、
前記入力部は、前記編集条件として、前記編集後の動画のファイルサイズを入力し、
前記使用割合算出部は、前記ファイルサイズに基づき、前記使用割合を算出する動画編集装置。
【請求項９】
請求項１ないし８のいずれか１項に記載の動画編集装置であって、
前記複数の画像には、静止画及び動画の少なくとも一方が含まれる動画編集装置。
【請求項１０】
請求項１に記載の動画編集装置であって、更に、
前記画像の特徴量を取得する特徴量取得部と、
前記特徴量取得部によって取得された特徴量に基づき、前記編集後の動画に使用される画像を差替える画像差替え部と、
を備える動画編集装置。
【請求項１１】
請求項１０に記載の動画編集装置であって、
前記入力部は、前記画像差替え部による画像の差替え条件を入力し、
前記画像差替え部は、前記入力部により前記画像の差替え条件として入力された画像の特徴量に基づき、前記編集後の動画に使用される画像を差替える動画編集装置。
【請求項１２】
請求項１０または１１に記載の動画編集装置であって、
前記画像差替え部は、前記特徴量取得部によって取得された特徴量に基づき、差替え元の画像と差替え候補の画像とが類似するか相違するかを判別し、前記判別の結果に応じて、前記編集後の動画に使用される画像を差替える動画編集装置。
【請求項１３】
請求項１０ないし１２のいずれか１項に記載の動画編集装置であって、更に、
前記画像差替え部による差替え候補の画像が動画である場合、前記動画を所定区間毎に分割した画像を表示する表示部を備える動画編集装置。
【請求項１４】
請求項１１に記載の動画編集装置であって、
前記入力部は、複数の前記差替え条件を入力し、
前記画像差替え部は、前記入力部により前記複数の差替え条件として入力された複数の特徴量に基づき、前記編集後の動画に使用される画像を差替える動画編集装置。
【請求項１５】
請求項１０ないし１４のいずれか１項に記載の動画編集装置であって、
前記画像差替え部は、前記差替え元の画像と特徴量が共通しない画像を用いて、前記編集後の動画に使用される画像を差替える動画編集装置。
【請求項１６】
請求項１に記載の動画編集装置であって、更に、
前記編集後の動画に使用される画像に補足情報を挿入する補足情報挿入部と、
前記画像のパラメータの値の範囲に基づき、補足情報挿入部により前記画像に挿入される補足情報の内容及び前記補足情報が挿入される間隔を決定する決定部と、
を備える動画編集装置。
【請求項１７】
請求項１６に記載の動画編集装置であって、
前記決定部は、前記画像のパラメータの値の範囲と、前記編集後の動画のテーマと、に基づき、前記補足情報の内容及び前記補足情報が挿入される間隔を決定する動画編集装置。
【請求項１８】
請求項１７記載の動画編集装置であって、
前記決定部は、前記画像のパラメータの値の範囲と、前記編集後の動画のテーマと、前記画像の総数に基づき、前記補足情報の内容及び前記補足情報が挿入される間隔を決定する動画編集装置。
【請求項１９】
請求項１６ないし１８のいずれか１項に記載の動画編集装置であって、
前記画像のパラメータは、前記編集後の動画に使用される画像が撮影された最初の撮影時刻と最後の撮影時刻との期間、前記編集後の動画に使用される画像が撮影された位置の総移動距離、又は、前記編集後の動画に使用される画像が撮影された位置の最高の標高、を含む動画編集装置。
【請求項２０】
請求項１ないし１９のいずれか１項に記載の動画編集装置が搭載された情報端末。
【請求項２１】
複数の画像を編集し、編集後の動画を作成する動画編集装置における動画編集方法であって、
前記編集後の動画の編集条件を入力部により入力する入力ステップと、
前記入力された編集条件に基づき、前記複数の画像が前記編集後の動画に使用される使用割合を算出する使用割合算出ステップと、
前記算出された使用割合を報知部により報知する報知ステップと、
を有する動画編集方法。
【請求項２２】
請求項２１に記載の動画編集方法であって、
前記報知ステップでは、前記入力部によって前記編集条件が直接入力される場合、前記編集条件に対応する前記使用割合を報知する動画編集方法。
【請求項２３】
請求項２１に記載の動画編集方法であって、
前記報知ステップでは、前記入力部によって前記編集条件が選択的に入力される場合、各編集条件と、各編集条件に対応する各使用割合と、を報知する動画編集方法。
【請求項２４】
請求項２１ないし２３のいずれか１項に記載の動画編集方法であって、
前記報知ステップでは、前記編集条件に対応する前記使用割合が所定範囲にある場合、前記編集条件に対応する前記使用割合とともに、前記編集条件に基づく動画編集を推薦する旨を報知する動画編集方法。
【請求項２５】
請求項２３に記載の動画編集方法であって、
前記報知ステップでは、前記入力部によって前記編集条件が選択的に入力される場合、前記使用割合が所定値以上である編集条件の報知を中止、又は所定値以上である旨を報知する動画編集方法。
【請求項２６】
請求項２１ないし２５のいずれか１項に記載の動画編集方法であって、更に、
前記入力ステップでは、前記編集条件として、前記編集後の動画の再生時間を入力し、
前記使用割合算出ステップでは、前記再生時間に基づき、前記使用割合を算出する動画編集方法。
【請求項２７】
請求項２１ないし２５のいずれか１項に記載の動画編集方法であって、
前記入力ステップでは、前記編集条件として、前記編集後の動画の再生時に出力される音楽の情報を入力し、
前記使用割合算出ステップでは、前記音楽の長さに基づき、前記使用割合を算出する動画編集方法。
【請求項２８】
請求項２１ないし２５のいずれか１項に記載の動画編集方法であって、
前記入力ステップでは、前記編集条件として、前記編集後の動画のファイルサイズを入力し、
前記使用割合算出ステップでは、前記ファイルサイズに基づき、前記使用割合を算出する動画編集方法。
【請求項２９】
請求項２１ないし２８のいずれか１項に記載の動画編集方法であって、
前記複数の画像には、静止画及び動画の少なくとも一方が含まれる動画編集方法。
【請求項３０】
請求項２１に記載の動画編集方法であって、更に、
前記画像の特徴量を取得する特徴量取得ステップと、
前記取得された特徴量に基づき、前記編集後の動画に使用される画像を差替える画像差替えステップと、
を有する動画編集方法。
【請求項３１】
請求項３０に記載の動画編集方法であって、
前記入力ステップでは、前記画像の差替え条件を入力し、
前記画像差替えステップでは、前記画像の差替え条件として入力された画像の特徴量に基づき、前記編集後の動画に使用される画像を差替える動画編集方法。
【請求項３２】
請求項３０または３１に記載の動画編集方法であって、
前記画像差替えステップでは、前記取得された特徴量に基づき、差替え元の画像と差替え候補の画像とが類似するか相違するかを判別し、前記判別の結果に応じて、前記編集後の動画に使用される画像を差替える動画編集方法。
【請求項３３】
請求項３０ないし３２のいずれか１項に記載の動画編集方法であって、更に、
差替え候補の画像が動画である場合、前記動画を所定区間毎に分割した画像を表示する表示ステップを有する動画編集方法。
【請求項３４】
請求項３１に記載の動画編集方法であって、
前記入力ステップでは、複数の前記差替え条件を入力し、
前記画像差替えステップでは、前記複数の差替え条件として入力された複数の特徴量に基づき、前記編集後の動画に使用される画像を差替える動画編集方法。
【請求項３５】
請求項３０ないし３４のいずれか１項に記載の動画編集方法であって、
前記画像差替えステップでは、前記差替え元の画像と特徴量が共通しない画像を用いて、前記編集後の動画に使用される画像を差替える動画編集方法。
【請求項３６】
請求項２１に記載の動画編集方法であって、更に、
前記編集後の動画に使用される画像に補足情報を挿入する補足情報挿入ステップと、
前記画像のパラメータの値の範囲に基づき、前記画像に挿入される補足情報の内容及び前記補足情報が挿入される間隔を決定する決定ステップと、
を有する動画編集方法。
【請求項３７】
請求項３６に記載の動画編集方法であって、
前記決定ステップでは、前記画像のパラメータの値の範囲と、前記編集後の動画のテーマと、に基づき、前記補足情報の内容及び前記補足情報が挿入される間隔を決定する動画編集方法。
【請求項３８】
請求項３７記載の動画編集方法であって、
前記決定ステップでは、前記画像のパラメータの値の範囲と、前記編集後の動画のテーマと、前記画像の総数に基づき、前記補足情報の内容及び前記補足情報が挿入される間隔を決定する動画編集方法。
【請求項３９】
請求項３６ないし３８のいずれか１項に記載の動画編集方法であって、
前記画像のパラメータは、前記編集後の動画に使用される画像が撮影された最初の撮影時刻と最後の撮影時刻との期間、前記編集後の動画に使用される画像が撮影された位置の総移動距離、又は、前記編集後の動画に使用される画像が撮影された位置の最高の標高、を含む動画編集方法。
【請求項４０】
請求項２１ないし３９のいずれか１項に記載の動画編集方法の各ステップをコンピュータに実行させるための動画編集プログラム。
【発明の詳細な説明】
【技術分野】
【０００１】
本発明は、複数の画像を編集し、編集後の動画を作成する動画編集装置、情報端末、動画編集方法、及び動画編集プログラムに関する。
【背景技術】
【０００２】
従来、写真（静止画）や動画を時系列に並べて編集し、スライドショーやフォトムービー等の動画（編集後ムービー）を作成する動画編集装置が知られている。この編集後ムービーの再生時、ユーザは、その再生時間を指定する。
【０００３】
この種の動画編集装置として、ユーザの優先度選択条件と再生時間とから画像をピックアップするものがある（特許文献１参照）。
【先行技術文献】
【特許文献】
【０００４】
【特許文献１】特開２００５−３０３９０７号公報
【発明の概要】
【発明が解決しようとする課題】
【０００５】
しかしながら、従来の動画編集装置では、編集後ムービーの再生時、ユーザが指定した時間に見合った分の画像が自動的に選択されるので、多くの画像が保存されているファイルの中から、どれくらいの量の画像が選択されるのかわからなかった。
【０００６】
このため、指定した時間によっては同じ画像が繰り返し表示されることがあった。また、指定時間が長い場合には、同じ画像が長い時間表示されることがあった。また、指定時間が短い場合には、ファイルの中の数％の画像しか選択されず、内容がわかりにくいことがあった。
【０００７】
本発明は、上記事情に鑑みてなされたものであって、動画編集時のユーザの利便性が向上する動画編集装置、情報端末、動画編集方法、及び動画編集プログラムを提供することを目的とする。
【課題を解決するための手段】
【０００８】
本発明の動画編集装置は、複数の画像を編集し、編集後の動画を作成する動画編集装置であって、前記編集後の動画の編集条件を入力する入力部と、前記入力された編集条件に基づき、前記複数の画像が前記編集後の動画の作成に使用される使用割合を算出する使用割合算出部と、前記使用割合算出部によって算出された使用割合を報知する報知部と、を備える。
【０００９】
また、本発明の情報端末は、上記動画編集装置が搭載された情報端末である。
【００１０】
また、本発明の動画編集方法は、複数の画像を編集し、編集後の動画を作成する動画編集装置における動画編集方法であって、前記編集後の動画の編集条件を入力部により入力する入力ステップと、前記入力された編集条件に基づき、前記複数の画像が前記編集後の動画に使用される使用割合を算出する使用割合算出ステップと、前記算出された使用割合を報知部により報知する報知ステップと、を有する。
【００１１】
また、本発明の動画編集プログラムは、上記動画編集方法の各ステップをコンピュータに実行させるためのプログラムである。
【００１２】
この構成、方法、又はプログラムによれば、編集後の動画に、所定の保存先に保存された画像全体のうち、どれくらいの量の画像が使用されるかを報知できる。従って、動画編集時のユーザの利便性が向上する。
【発明の効果】
【００１３】
本発明によれば、動画編集時において、ユーザの利便性が向上する。
【図面の簡単な説明】
【００１４】
【図１】本発明の第１の実施形態における動画編集装置の機能的構成例を示すブロック図
【図２】本発明の実施形態における動画編集装置の構成例を示す図
【図３】本発明の第１の実施形態における動画編集装置による使用割合の表示動作手順の一例を示すフローチャート
【図４】（Ａ）〜（Ｅ）本発明の第１の実施形態における動画編集装置による入力動作又は表示動作の際の画面表示例を示す図
【図５】本発明の第１の実施形態における動画編集装置により選択された複数枚の撮影写真および撮影動画を用いて作成される編集後ムービーの一例を示す図
【図６】本発明の第１の実施形態における動画編集装置による全体動作手順の一例を示すフローチャート
【図７】本発明の第２の実施形態における動画編集装置による使用割合の表示動作手順の一例を示すフローチャート
【図８】（Ａ）〜（Ｄ）本発明の第２の実施形態における動画編集装置による再生時間の入力動作の際の画面表示例を示す図
【図９】本発明の第２の実施形態における動画編集装置による入力ファイル選択中の画面表示例を示す図
【図１０】本発明の第３の実施形態における動画編集装置の機能的構成例を示すブロック図
【図１１】本発明の第３の実施形態における画像の特徴量に対応する差替え条件の情報を保持するテーブルの一例を示す図
【図１２】本発明の第３の実施形態における動画編集装置によるシナリオ修正動作手順の一例を示すフローチャート
【図１３】（Ａ）〜（Ｆ）本発明の第３の実施形態における動画編集装置により素材を差替える際の画面表示例を示す図
【図１４】（Ａ），（Ｂ）本発明の第３の実施形態における動画編集装置により素材として動画を差替える際の画面表示例を示す図
【図１５】本発明の第３の実施形態における動画編集装置によるおまかせ素材抽出処理手順の一例を示すフローチャート
【図１６】本発明の第４の実施形態における動画編集装置の機能的構成例を示すブロック図
【図１７】（Ａ）〜（Ｃ）本発明の第４の実施形態におけるテーマ又は期間に対応するテロップテンプレートを保持するテーブルの一例を示す図
【図１８】本発明の第４の実施形態における動画編集装置による修正動作手順の一例を示すフローチャート
【図１９】（Ａ）〜（Ｃ）本発明の第４の実施形態における動画編集装置によりテロップが挿入された画像の具体例を示す図
【図２０】本発明の第５の実施形態におけるテロップテンプレートを保持するテーブルの一例を示す図
【図２１】本発明の第５の実施形態における動画編集装置によるシナリオ修正動作手順の一例を示すフローチャート
【図２２】（Ａ）〜（Ｃ）本発明の第５の実施形態における動画編集装置によりテロップが挿入された画像の具体例を示す図
【図２３】本発明の第５の実施形態における動画編集装置によるシナリオ修正動作手順の変形例を示すフローチャート
【図２４】本発明の第５の実施形態における動画編集装置によりテロップが挿入された画像の変形例を示す図
【発明を実施するための形態】
【００１５】
以下、本発明の実施形態について、図面を用いて説明する。
【００１６】
本発明の実施形態における動画編集装置は、情報端末（例えばスマートフォン、携帯電話、携帯通信端末）に適用できる。
【００１７】
（第１の実施形態）
図１は本発明の第１の実施形態における動画編集装置１の機能的な構成例を示すブロック図である。動画編集装置１は、例えば情報端末に搭載され、ＵＩ（Ｕｓｅｒ  Ｉｎｔｅｒｆａｃｅ）部２、画像選定部３、及び動画編集部１６を備える。
【００１８】
ＵＩ部２は、使用割合表示部１１及び再生時間指定部１３を含む。画像選定部３は、ファイル選択部１２、使用割合計算部１４、及びファイル絞込み部１５を含む。
【００１９】
使用割合表示部１１（報知部の一例）は、表示部７（図２参照）に編集後の動画（編集後ムービー）の再生時間を表示する際、ファイル選択部１２により選択されたファイル数の使用割合を表示する。つまり、使用割合表示部１１は、使用割合計算部１４により算出された使用割合を報知する報知部としての機能を有する。
【００２０】
ファイル選択部１２は、表示部７に表示された画像を、操作部２６（図２参照）を介してユーザが指示すると、この画像ファイル（以下、単に「画像」ともいう）を選択する。例えば、メモリ２４に蓄積された画像のうち、所定のフォルダに含まれる画像を選択する。なお、画像には、静止画及び動画の少なくとも一方が含まれる。
【００２１】
再生時間指定部１３は、再生時間を指定する。再生時間指定部１３は、例えば、操作部２６により再生時間を直接入力されることにより、再生時間を指定してもよい。又、再生時間指定部１３は、表示部７に表示された再生時間を選択するための再生時間選択ボタン３８（図４参照）を押下することにより、再生時間を指定してもよい。再生時間は、編集条件の１つである。従って、再生時間指定部１３は、編集後ムービーの編集条件を入力する入力部としての機能を有する。
【００２２】
使用割合計算部１４（使用割合算出部の一例）は、入力された再生時間（編集時間）ＴｏｔａｌＤｕｒを、１ファイルの再生時間ＣｌｉｐＤｕｒにより除算することで、使用可能ファイル数を算出する。また、使用割合計算部１４は、この使用可能ファイル数を選択されたファイル数で除算することで、使用割合を算出する。つまり、使用割合計算部１４は、編集条件に基づき、複数の画像が編集後ムービーに使用される使用割合を算出する割合算出部としての機能を有する。
【００２３】
ファイル絞込み部１５は、ファイル選択部１２により選択された選択ファイルの一覧から、使用割合計算部１４により算出された使用可能ファイル数のファイルに絞り込む。また、ファイル絞込み部１５は、使用可能ファイル数に絞り込む際、画像解析や操作部２６を介したユーザの指定などによる各ファイルの優先度をもとに、絞込みを行う。
【００２４】
動画編集部１６は、ファイル絞込み部１５によって絞り込まれた絞込みファイルの一覧から、シナリオを作成し、編集後ムービーを作成する。シナリオとは、絞り込まれた画像（再生される画像）を時系列に並べたものである。
【００２５】
図２は動画編集装置１の構成例を示す図である。
動画編集装置１は、制御部２１、カメラ２２、無線通信部２３、メモリ２４、表示部７、音声入出力部２５、操作部２６、及びＧＰＳ受信器２８を備える。図１のＵＩ部２は、表示部７及び操作部２６を含む。また、図１の画像選定部３及び動画編集部１６は、制御部２１に含まれる。
【００２６】
制御部２１は、動画編集装置１全体を制御し、メモリ２４に格納された動画編集プログラムを実行することによって、動画編集装置１の機能（例えば画像選定部３及び動画編集部１６の機能）を実現する。
【００２７】
カメラ２２は、写真（静止画）又は動画を撮影可能である。
【００２８】
無線通信部２３は、基地局を介して他の通信装置とデータの送受信を行う。
【００２９】
メモリ２４は、例えば、撮影された画像、制御プログラム、音楽データ（例えばＢＧＭのデータ）を格納する。また、メモリ２４は、画像の情報（例えば画像の特徴量の情報、画像サイズの情報）を格納する。
【００３０】
表示部７は、液晶ディスプレイを有し、各種画面を表示する。
【００３１】
音声入出力部２５は、マイクおよびスピーカを有し、音声を入出力する。
【００３２】
操作部２６は、例えば表示部７の画面に設けられたタッチパネルを含み、ユーザの指示を受け付ける。また、操作部２６は、各種ボタンを含む。例えば、ボタンには、表示部７の画面に表示され、ムービーの作成を指示するためのムービー作成ボタンが含まれる。
【００３３】
ＧＰＳ受信器２８は、ＧＰＳ衛星からの電波を受信し、情報端末の現在位置（ＧＰＳ位置情報）を取得する。
【００３４】
次に、動画編集装置１の動作例について説明する。
図３は使用割合の表示動作手順を示すフローチャートである。この動作プログラムは、メモリ２４に格納され、制御部２１内のＣＰＵによって実行される。
【００３５】
まず、制御部２１は、選択ファイル数ＩｎｐｕｔＮｕｍ、再生時間ＴｏｔａｌＤｕｒおよび１ファイルの再生時間（平均）ＣｌｉｐＤｕｒの入力を、操作部２６を介して受け付ける（ステップＳ１）。
ファイル毎の再生時間テーブルを持っている場合は、再生時間ＴｏｔａｌＤｕｒから決定されるファイル数をＴｏｔａｌＤｕｒ／ＣｌｉｐＤｕｒ相当としてもよい。
【００３６】
ここで、再生時間ＴｏｔａｌＤｕｒの入力として、ユーザから直接入力された値、又は予め登録された少なくとも１つの値が受け付けられる。この登録された値が受け付けられる場合、後述する再生時間選択ボタン３８（図４参照）の一覧が表示される。
【００３７】
続いて、制御部２１は、ステップＳ１における入力を受け付けると、数式（１）に従って、選択ファイルの使用割合を算出する（ステップＳ２）。
使用割合  ＝  （ＴｏｔａｌＤｕｒ／ＣｌｉｐＤｕｒ）／ＩｎｐｕｔＮｕｍ  ……  （１）
【００３８】
具体的には、制御部２１は、ステップＳ２における使用割合の算出において、例えば以下の計算を行う。撮影写真と撮影動画を入力ファイルとして、動画（ムービー）を編集する場合を例示する。入力写真が５０枚、入力動画が９秒×３つあるものとする。
【００３９】
編集後ムービーの再生時間：１５秒、１入力ファイルの平均表示時間（１区間）：３秒の指定が行われると、以下の手順で使用割合を算出する。
【００４０】
入力動画の区間数：９区間  ＝  ９秒  ×  ３ファイル数／３秒（１区間当たり）
入力写真と入力動画の区間数合計：  ５９区間 ＝ ５０区間（写真） ＋ ９区間（動画）
選択可能区間：  ５区間 ＝ １５秒／３秒
使用割合：  約９％ ＝ ５区間／５９区間
上例は入力動画時間を１区間で割り計算したが、割る時間を１区画より長く設定したり、１ファイルを１区画、とすることも可能である。
【００４１】
続いて、制御部２１は、算出された使用割合が１００％を超えるか否かを判別する（ステップＳ３）。
【００４２】
使用割合が１００％を超えない場合、制御部２１は、表示部７に、再生時間とともに使用割合を表示させる（ステップＳ４）。この後、制御部２１は本処理を終了する。
【００４３】
一方、使用割合が１００％を超える場合、制御部２１は、表示部７に、再生時間選択ボタン３８（図４参照）を表示させない、又は、再生時間選択ボタン３８とともに使用割合が１００％を超えている旨を表示させる（ステップＳ５）。この後、制御部２１は本処理を終了する。
【００４４】
次に、動画編集装置１の入力動作又は表示動作時の画面表示例について説明する。
図４（Ａ）〜（Ｅ）は、図３のステップＳ１における入力動作、及びステップＳ４，Ｓ５における表示動作の際に、表示部７に表示される画面例を示す図である。
【００４５】
操作部２６により入力ファイル（画像）を選択する場合、図４（Ａ）に示すように、表示部７は、入力ファイルを選択する画面を表示する。この画面には、画像ファイルが登録された複数のフォルダが表示されている。図４（Ａ）の例では、「１０１＿Ｐ」，「ＴＡＨＩＴＩ」，「ｓｄｃａｒｄ」の３つのフォルダ３１が表示されている。
【００４６】
操作部２６により１つのフォルダ３１を選択し、決定キー７ａを押下すると、図４（Ｂ）に示すように、表示部７は、選択されたフォルダ３１に含まれる複数のサムネイル画像３５を表示する。
【００４７】
また、ユーザの指示により、操作部２６を介して複数のサムネイル画像３５の中から特定のサムネイル画像を選択し、決定キー７ａを押下すると、ファイル選択部１２は、ムービーの編集に使用される画像を選択する。
【００４８】
画像を選択すると、制御部２１は、選択されたサムネイル画像に、チェックマーク７ｂを付加する。なお、制御部２１は、サムネイル画像を用いて個々に画像を選択する代わりに、フォルダ単位で画像を選択してもよい。
【００４９】
画像が選択されると、表示部７は、図４（Ｃ）に示すように、編集後ムービーの再生時間を選択する画面を表示する。表示部７は、この画面に、再生時間を選択するための再生時間選択ボタン３８の一覧、および選択された再生時間に対応する使用割合を表示する。図４（Ｃ）の例では、再生時間として、「１５秒」、「１分」、「２分３０秒」の３つの再生時間を選択可能である。
【００５０】
また、表示部７は、再生時間が「１５秒」、「１分」、「２分３０秒」である場合、選択された画像全体（総数）のうちどれくらいのファイル数が使用されるのかを示す使用割合が、それぞれ「約１０％」、「約４０％」、「約１００％」である旨を表示する。これにより、表示された使用割合を参考にし、ユーザによる再生時間の選択が容易となる。
【００５１】
例えば、選択された写真（画像）が５０枚であり、１ファイルの再生時間が３秒であり、１５秒のムービーを編集する場合、使用割合は１０％となる。
【００５２】
また、図４（Ｃ）に示すように、表示部７は、使用割合が１００％を超える、つまり、全ての画像が使用される時間を超える再生時間を表示しない。これにより、画像の繰り返し使用が起こらず、ユーザによる無駄な選択を省略できる。
【００５３】
また、再生時間選択ボタン３８の代わりに、図４（Ｄ）に示すように、再生時間を入力するための入力領域４１を設けてもよい、入力領域４１に、操作部２６を介して再生時間を直接入力してもよい。図４（Ｄ）の例では、再生時間として入力領域４１に「１分３０秒」が入力された場合、表示部７は、使用割合が「約６０％」である旨を表示する。これにより、再生時間を直接入力する場合でも、使用割合を表示できる。
【００５４】
また、図４（Ｅ）に示すように、表示部７は、入力領域４１に「３分００秒」が入力された場合、選択された画像が全て使用され、約２０％が繰り返し使用されることを表示してもよい。このように、使用割合が１００％を超える再生時間を選択してもよい。この場合、使用割合が１００％を超える旨が表示される。これにより、繰り返し使用しても、再生時間を優先させたいユーザの要求に応えられる。図４（Ｃ）でも同様の目的で、１００％超の選択枝を表示することも可能である。
【００５５】
次に、画像から編集後ムービーを作成する過程について説明する。
図５は、操作部２６を介して選択された複数枚の撮影写真５０及び撮影動画６０を用いて作成される編集後ムービー７０を示す図である。
【００５６】
ファイル絞込み部１５は、操作部２６を介して選択された複数枚の撮影写真５０の中から、丸印５５が記された撮影写真５０を選択する。また、ファイル絞込み部１５は、操作部２６を介して選択された撮影動画６０の中から、丸印６５が記された動画６６を選択する。また、ファイル絞込み部１５は、選択された写真及び動画を用いて、絞込みファイル一覧を作成する。
【００５７】
動画編集部１６は、絞込みファイル一覧から、撮影写真５０およびコマ６６を時系列に並べて、編集後ムービー７０を作成（制作）する。
【００５８】
図６は、動画編集装置１の全体動作手順の一例を示すフローチャートである。この動作プログラムは、メモリ２４に格納され、制御部２１内のＣＰＵによって実行される。
【００５９】
制御部２１は、ムービーの編集アプリケーションが起動すると、操作部２６を介した編集条件の入力を受け付ける（ステップＳ１１）。編集条件として、例えば、所望の画像が含まれるフォルダの指定、再生時間の指定、画像サイズの指定、ＢＧＭの指定が行われる。編集条件の入力を受け付ける際、制御部２１は、選択されたファイルの使用割合を表示部７に表示させる。
【００６０】
続いて、制御部２１は、編集条件に合致した、素材となる画像を解析し、その特徴量をメモリ２４に保存する（ステップＳ１２）。
【００６１】
画像の特徴量は、例えば、撮影時や撮影後に画像に付加された情報、画像処理により得られた情報である。画像特徴量は、例えば、撮影場所を示すＧＰＳ位置情報、撮影日時、テーマ、撮影シーン、個人認識情報、顔認識結果を含む。
【００６２】
続いて、制御部２１は、例えば指定されたフォルダ又は再生時間をもとに、シナリオを作成する（ステップＳ１３）。
【００６３】
続いて、制御部２１は、作成されたシナリオに対して、必要に応じて追加処理を行う（ステップＳ１４）。この追加処理の詳細については、他の実施形態において後述する。追加処理が行われると、シナリオは、追加処理後のシナリオに更新される。
【００６４】
続いて、制御部２１は、操作部２６のムービー作成ボタン２６ａが押下されるまで待機する（ステップＳ１５）。ムービー作成ボタン２６ａが押下されると、制御部２１は、作成又は更新されたシナリオに従って、ムービーを作成する（ステップＳ１６）。この後、図６の動作を終了する。
【００６５】
なお、本実施形態では、再生時間の選択方法として、再生時間を直接入力する場合、時間を入力する代わりに、メモリ２４に登録されたＢＧＭ（背景音楽）の曲名を入力してもよい。これにより、ＢＧＭの長さに合わせた、編集後ムービーの再生が可能となり、使用割合も理解できる。
【００６６】
また、ファイル選択部１２により選択される画像ファイルのサイズに応じて、再生時間指定部１３は、再生時間の候補を絞込み、再生時間を選択してもよい。これにより、画像ファイルのサイズに適した編集後ムービーの再生が可能となる。また、再生時間指定部１３は、選択される画像の品質に合わせて、再生時間を選択してもよい。
【００６７】
また、１つの入力ファイルの平均表示時間（１区間）が３秒に設定されたが、制御部２１は、例えばＢＧＭ等の音楽が遅いテンポの曲である場合、長めの平均表示時間（例えば４秒）を設定してもよい。また、制御部２１は、例えば早いテンポの曲である場合、短めの平均表示時間（例えば２秒）に設定してもよい。
【００６８】
また、再生時間は予め設定された値（デフォルト値）であってもよい。これにより、ユーザが再生時間を入力する手間を省ける。
【００６９】
また、使用割合を表示部７に表示する場合を示したが、表示の代わり又は表示とともに、音声入出力部２５により音声で報知してもよい。
【００７０】
また、動画編集部１６は、静止画と動画とを混在させて編集後ムービーを作成したが、静止画のみ又は動画のみで編集後ムービーを作成してもよい。これにより、編集後ムービーの汎用性が高まる。
【００７１】
このように、動画編集装置１によれば、再生時間を指定する際、選択された画像全体のうちどれくらいの量の画像が使用されたかを、事前に、つまりムービーの編集が確定する前に表示できる。
【００７２】
また、報知部は、編集条件が直接入力される場合、編集条件に対応する前記使用割合を報知してもよい。報知部は、例えば表示部７である。編集条件は、例えば再生時間である。これにより、ユーザは、直接入力される編集条件がどの程度の使用割合であるかを確認できる。
【００７３】
また、報知部は、編集条件が選択的に入力される場合、各編集条件と、各編集条件に対応する各使用割合と、を報知してもよい。これにより、どの選択肢により選択すると、画像の使用割合がどの程度であるかを確認できる。
【００７４】
また、報知部は、編集条件が選択的に入力される場合、使用割合が所定値以上である編集条件の報知を中止してもよい。所定値は、例えば１００％である。これにより、使用割合が所定値以上の編集条件を、編集後ムービーを作成するための選択肢から除外でき、ユーザの利便性が向上する。
【００７５】
また、入力部は、編集条件として、編集後の動画の再生時間を入力し、使用割合算出部は、再生時間に基づき、使用割合を算出してもよい。入力部は、例えば操作部２６である。使用割合算出部は、例えば使用割合計算部１４である。これにより、ユーザは、再生時間に基づく使用割合を確認できる。
【００７６】
また、入力部は、編集条件として、編集後の動画の再生時に出力される音楽の情報を入力し、使用割合算出部は、音楽の長さに基づき、使用割合を算出してもよい。音楽の情報は、例えばＢＧＭの情報である。これにより、音楽の長さに合う編集後の動画を作成することができるので、ユーザは快適に編集後の動画を視聴できる。
【００７７】
また、入力部は、編集条件として、編集後の動画のファイルサイズを入力し、使用割合算出部は、ファイルサイズに基づき、使用割合を算出してもよい。これにより、ユーザは、編集後ファイルサイズに基づく使用割合を確認できる。
【００７８】
（第２の実施形態）
第１の実施形態では、選択されたファイル数の使用割合を単に表示したが、第２の実施形態では、使用割合の“お薦め”表示を行う場合を示す。
【００７９】
第２の実施形態における動画編集装置は、第１の実施形態における動画編集装置とほぼ同一の構成を有するので、第１の実施形態と同一の構成要素については同一の符号を用いて、その説明を省略又は簡略化する。
【００８０】
図７は本発明の第２の実施形態における動画編集装置１による使用割合の表示動作手順を示すフローチャートである。この動作プログラムは、メモリ２４に格納され、制御部２１内のＣＰＵによって実行される。図５において説明したステップと同一のステップ処理については、同一のステップ番号を付す。
【００８１】
ステップＳ３において使用割合が１００％を超えていない場合、制御部２１は、使用割合が、お薦めの使用割合（例えば４０％）を中心とする前後の値を含む特定範囲（例えば３０％〜５０％の範囲）内にあるか否かを判別する（ステップＳ３Ａ）。
【００８２】
この特定範囲に含まれない場合、制御部２１は、表示部７に、第１の実施形態と同様、ステップＳ４において再生時間とともに単に使用割合を表示させる。
【００８３】
一方、ステップＳ３Ａにおいて特定範囲に含まれる場合、制御部２１は、表示部７に、使用割合および再生時間を表示させるとともに、お薦め表示（お薦めである旨を表示）させる（ステップＳ３Ｂ）。この後、図８の処理を終了する。お薦め表示の内容については後述する。
【００８４】
次に、動画編集装置１の入力動作時の画面表示例について説明する。
図８（Ａ）〜（Ｄ）は、再生時間の入力動作が行われる際、表示部７に表示される画面例を示す図である。
【００８５】
図８（Ａ）では、図４（Ｃ）と同様、表示部７は、３つの再生時間選択ボタン３８を表示する。表示部７は、これらのボタンのうち、使用割合が４０％に近い「１分」の再生時間選択ボタン３８に対し、お薦めである旨を示すお薦め表示３９を付加する。
【００８６】
また、表示部７は、説明ボタン４３を表示する。操作部２６を介して説明ボタン４３を押下すると、表示部７は、図８（Ｂ）に示すように、再生時間と選択割合（使用割合）についての説明が記された画面を表示する。ユーザは、説明画面に表示された内容を読むことで理解し、再生時間を容易に選択できる。
【００８７】
また、図４（Ｄ）と同様、図８（Ｃ）に示すように、表示部７に再生時間の入力領域４１を設け、操作部２６を介して入力領域４１に再生時間を直接入力してもよい。再生時間として、入力領域４１に「０分３０秒」が入力された場合、表示部７は、使用割合が「約２０％」である旨を表示する。
【００８８】
同様に、入力領域４１に「１分０秒」が入力された場合、表示部７は、使用割合が「約４０％」である旨を表示し、さらにお薦め表示４６を付加する。また、入力領域４１に「１分３０秒」が入力された場合、表示部７は、使用割合が「約６０％」である旨を表示する。
【００８９】
このように、再生時間を直接入力した場合に、使用割合が４０％±１０％の範囲（特定範囲）に入っていると、表示部７はお薦め表示４６を付加する。ここで、一例として４０％に近い範囲としたのは、音楽データによっては区切りの良い時間（例えば、１６秒、３２秒、５８秒）のみ選択可能とし、４０％に調整できないことが考慮したためである。
【００９０】
なお、特定範囲は、４０％を中心とする範囲でなく、任意の範囲でも良いことは勿論である。そして、再生時間指定部１３は、決定ボタン４５の押下に応じて再生時間を決定する。
【００９１】
なお、図８（Ｄ）に示すように、入力領域４１に再生時間が入力された際、表示部７は、この再生時間に対応する使用割合を表示するとともに、おまかせボタン４８を表示してもよい。おまかせボタン４８を押下することで、再生時間指定部１３は、再生時間をオート（おまかせ）で決定してもよい。
【００９２】
表示部７は、おまかせボタン４８を表示する場合、使用割合が約４０％となる再生時間が例えば「１分０秒」であることを併せて表示する。これにより、ユーザが再生時間を考える手間を省くことができ、操作性が向上する。ここでは、おまかせにより決定すると、使用割合４０％に近い再生時間を採用したが、その他の値に近い再生時間を採用してもよい。
【００９３】
このように、動画編集装置１は、再生時間を指定する際、お薦め表示してもよい。つまり、報知部は、編集条件に対応する使用割合が所定範囲にある場合、編集条件に対応する使用割合とともに、編集条件に基づく動画編集を推薦する旨を報知してもよい。動画編集を推薦する旨の報知には、お薦め表示が含まれる。これにより、ユーザは、お薦めに従って、操作部２６を介して所望の使用割合に適した再生時間を簡単に入力ができる。従って、ユーザの操作性が向上する。
【００９４】
なお、上記実施形態では、表示部７は、再生時間の指定時に使用割合を表示する場合を示したが、入力ファイルの選択中に、再生時間に対応する使用割合を表示してもよい。
【００９５】
図９は入力ファイル選択中の使用割合の表示例を示す図である。表示部７は、操作部２６を介して画像ファイルを選択中、選択されたサムネイル画像３５にチェックマーク７ｂを付加する。操作部２６を介してチェックマークが付加される毎に、ファイル選択部１２が、選択された画像ファイルの総数を決定し、使用割合計算部１４が、画像ファイルの総数をもとに再生時間に対応する使用割合を決定する。
【００９６】
そして、表示部７は、画面下部に、編集後ムービーにおける、再生時間に対応する使用割合が表示される。例えば、表示部７は、「１５秒で約３０％使用されます。３０秒で約６０％使用されます。１分で約１２０％使用されます。」というメッセージを表示する。
ここで、制御部２１が、１００％を超える選択をさせないよう制御してもよい。
【００９７】
これにより、ユーザは、再生時間に対応する使用割合を考慮して、画像ファイルを選択でき、操作の自由度が増大する。
【００９８】
（第３の実施形態）
従来の動画編集装置では、編集後ムービーは、動画編集装置により選出された素材（画像）であるので、ユーザの意図に沿わない素材が含まれることがあった。本実施形態では、例えば素材を改善できる動画編集装置について説明する。
【００９９】
図１０は本発明の第３の実施形態における動画編集装置１Ａの機能的構成例を示すブロック図である。動画編集装置１Ａにおいて、第１の実施形態における動画編集装置１と同一の構成要素については、同一の符号を付すことにより、その説明を省略又は簡略化する。
【０１００】
動画編集装置１Ａは、例えば情報端末に搭載され、ＵＩ部２Ａ、画像選定部３、追加処理部４、及び動画編集部１６Ａを備える。
【０１０１】
ＵＩ部２Ａは、使用割合表示部１１、再生時間指定部１３、及び差替え条件指定部１８を備える。差替え条件指定部１８は、画像の差替え条件を指定する。画像の差替え条件の具体例については後述する。
【０１０２】
追加処理部４は、画像差替え部１７を備える、画像差替え部１７は、差替え条件指定部１８によって指定された画像の差替え条件に従って、ファイル絞込み部１５により絞り込まれた画像ファイルの少なくとも一部を差替える。
【０１０３】
動画編集部１６Ａは、絞込みファイルの一覧から作成されたシナリオを、画像差替え部１７からの差替え情報に従って画像を差替えて修正し、編集後ムービーを作成する。
【０１０４】
図１１は画像の特徴量に対応する差替え条件の情報を保持するテーブル８１を示す図である。このテーブル８１は、メモリ２４に格納される。テーブル８１には、画像の特徴量として、図６のステップＳ１２においてメモリ２４に保存された特徴量が登録されている。
【０１０５】
ここでは、撮影場所（例えばＧＰＳ位置情報）、撮影シーン、個人認識情報の３つの特徴量が一例として挙げられている。撮影シーンは、例えば、空、海、夕焼けのシーンである。制御部２１は、撮影シーンの情報を、シーンモードにより撮影した際の情報から得てもよいし、画像を解析して得てもよい。また、制御部２１は、個人認識情報を、あらかじめ登録しておいた顔、指紋、名前等の情報から得てもよい。なお、特徴量の種類は、これらに限られないことは勿論である。
【０１０６】
差替え条件は、例えば、類似と相違の２つに大別される。例えば、特徴量が撮影場所である場合、類似とは、差替え元の素材（画像ファイル）に対し、撮影場所が近いとみなせる素材である。具体的には、「緯度の差分が或る閾値以内」かつ「経度の差分が或る閾値以内」の条件を満たす素材である。
【０１０７】
一方、相違とは、差替え元の素材と撮影場所が遠いとみなせる素材である。具体的に、「緯度の差分が或る閾値以上」または「経度の差分が或る閾値以上」の素材である。
【０１０８】
また、特徴量が撮影シーンである場合、類似とは、差替え元の素材の撮影シーンと同一の素材である。一方、相違とは、差替え元の素材と撮影シーンの異なる素材である。
【０１０９】
また、特徴量が個人認識情報である場合、類似とは、差替え元の素材に含まれる人物と同一の人物を含む素材である。一方、相違とは、差替え元の素材に含まれる、いずれの人物も含まない素材である。
【０１１０】
次に、動画編集装置１Ａの動作例について説明する。
動画編集装置１Ａの全体の動作は、第１の実施形態の図６で示したとおりである。ここでは、図６のステップＳ１３において作成されたシナリオに対し、ステップＳ１４において追加処理（シナリオ修正動作）を行う際の動作例を示す。図１２は動画編集装置１Ａのシナリオ修正動作手順を示すフローチャートである。
【０１１１】
まず、制御部２１は、作成されたシナリオに採用された画像（素材）のサムネイル一覧を表示部７に表示させる（ステップＳ２１）。
【０１１２】
続いて、制御部２１は、操作部２６を介して、差替え条件指定部１８によって素材を変更するか否かを判別する（ステップＳ２２）。素材を変更する場合、ユーザの指示によりＵＩ部２を介して１つ以上の素材の変更を指示する。
【０１１３】
素材を変更しない場合、制御部２１は、図１２の動作を終了し、元の処理（図６のＳ１５の処理）に復帰する。
【０１１４】
一方、ステップＳ２２において採用する素材を変更する場合、制御部２１は、ユーザが素材の抽出をおまかせにするか否かを判別する（ステップＳ２３）。
【０１１５】
素材の抽出をおまかせにする場合、制御部２１は、後述するおまかせ素材抽出処理（ステップＳ３２）に進む。
【０１１６】
一方、ステップＳ２３において素材の抽出をおまかせにしない場合、制御部２１は、差替え元の素材を受け付ける（ステップＳ２４）。
【０１１７】
図１３（Ａ）〜（Ｆ）は、素材（選定された画像）の差替え操作を行う際に表示される表示部７の画面を示す図である。図１３（Ａ）に示すように、表示部７は、画面に、ムービー作成ボタン２６ａ及び素材変更ボタン２６ｂを表示する。また、表示部７は、画面の例えば下方に、選定された６枚のサムネイルＡ〜Ｆを表示する。
【０１１８】
素材変更ボタン２６ｂが押下されると、図１３（Ｂ）に示すように、表示部７は、「変更したい素材を選択してください」というメッセージ、及び完了ボタン２６ｃを表示する。操作部２６を介してサムネイルＡ〜Ｆのいずれかを選択すると、差替え条件指定部１８は、差替え元の素材を受け付ける。
【０１１９】
続いて、制御部２１は、ステップＳ２４において差替え元の素材を受け付けた後、差替え条件を受け付ける（ステップＳ２５）。例えば、操作部２６を介して差替え元の画像Ｃを選択すると、表示部７は、画面を切り替え、図１３（Ｃ）に示すように、差替え条件の画面を表示する。この差替え条件の画面では、例えば、操作部２６を介してチェックボックスを切り替えることで、４つの中から１つ以上の差替え条件を選択できる。
【０１２０】
差替え条件として、表示部７は、例えば、「撮影場所が類似の素材と差替え」、「撮影場所が相違の場所と差替え」、「撮影シーンが類似の素材と差替え」、「撮影シーンが相違の素材と差替え」を表示する。なお、相反しない限り、差替え条件指定部１８により複数の差替え条件が選択されてもよい。
【０１２１】
続いて、制御部２１は、ステップＳ２５において差替え条件を受け付けると、メモリ２４に保存された各画像の特徴量の情報を取得する（ステップＳ２６）。従って、制御部２１は、特徴量取得部の機能を有する。
【０１２２】
続いて、制御部２１は、差替え条件及び取得された特徴量に基づき、差替え元の画像と類似するか相違するかの判別結果に基づき、メモリ２４に格納された画像から、差替え候補となる素材の画像を絞り込む（ステップＳ２７）。
【０１２３】
続いて、制御部２１は、絞り込まれた画像を表示部７の画面に表示させる（ステップＳ２８）。例えば、表示部７は、図１３（Ｄ）のように、差替え候補となる素材である画像１〜１２を画面に表示する。
【０１２４】
続いて、制御部２１は、例えば差替え条件指定部１８により画像５を選択すると、画像５を差替え先の素材として受け付ける（ステップＳ２９）。これにより、画像差替え部１７は、図１３（Ｅ）に示すように、画像Ｃを画像５に差替える。
【０１２５】
続いて、制御部２１は、完了ボタン２６ｃを押下したか否か、つまり差替え操作を完了するか否かを判別する（ステップＳ３０）。差替え操作を完了しない場合、ステップＳ２４の処理に戻る。
【０１２６】
一方、制御部２１は、完了ボタン２６ｃの押下を検出すると、図１３（Ｆ）の画面に切り替え、差替え操作を完了する。そして、制御部２１は、動画編集部１６Ａにより素材を差替え、シナリオを修正する（ステップＳ３１）。この後、制御部２１は、図１２の処理を終了し、図６のステップＳ１５の処理に復帰する。
【０１２７】
次に、動画の差替え操作を行う際の画面表示について説明する。
図１４（Ａ），（Ｂ）は、素材として動画の差替え操作を行う際の画面表示例を示す図である。
【０１２８】
図１４（Ａ）では、表示部７は、１階層目として、差替え候補となる画像１〜９を画面に表示する。画像１〜９のうち、画像３，５，８には、動画マーク２６ｄが付加されている。ここでは、画像３、５、８は動画である。
【０１２９】
例えば、操作部２６を介して動画である画像５を選択すると、図１４（Ｂ）に示すように、表示部７は、２階層目として、シーン毎又は時間毎に分割された動画のサムネイルである画像５−１〜５−４が表示される。操作部２６を介して画像５−１〜５−４のいずれかを選択すると、選択された画像が差替え先となる。画像差替え部１７は、差替え元である画像Ｃと差替え先の画像とを入れ替える。このように、動画の中から、分割された画像のうちのユーザの所望の画像を素材として採用できる。
【０１３０】
図１５は、図１２のステップＳ３２における、おまかせ素材抽出処理手順を示すフローチャートである。
【０１３１】
まず、制御部２１は、操作部２６を介して差替え元の画像を受け付け、受け付けた差替え元の画像が複数であるか否かを判別する（ステップＳ４１）。差替え元の画像が１枚である場合、ステップＳ４８の処理に進む。
【０１３２】
一方、ステップＳ４１において差替え元の画像が複数である場合、制御部２１は、メモリ２４に格納された差替え元の画像のＧＰＳ位置情報が全て同一であるか否かを判別する（ステップＳ４２）。
【０１３３】
全て同一である場合、制御部２１は、ステップＳ２１において画面に表示された、差替え候補素材からＧＰＳ位置情報が同一の素材を除外する（ステップＳ４３）。これは、ユーザの指示により差替え元の素材を選択しているので、同じ場所で撮影された画像は不要であると判断できるためである。
【０１３４】
一方、ステップＳ４２において差替え元の画像の中に、ＧＰＳ位置情報が同一でない画像がある場合、ステップＳ４４の処理に進む。
【０１３５】
続いて、制御部２１は、差替え元の画像の撮影シーンが全て同一であるか否かを判別する（ステップＳ４４）。
【０１３６】
全て同一である場合、制御部２１は、差替え候補素材から撮影シーンが同一の素材を除外する（ステップＳ４５）。これは、ユーザの指示により差替え元の素材を選択しているので、撮影シーンが同じ画像は不要であると判断できるためである。
【０１３７】
一方、ステップＳ４４において差替え元の画像の中に、撮影シーンが同一でない画像がある場合、制御部２１はステップＳ４６の処理に進む。
【０１３８】
続いて、制御部２１は、差替え元の画像の全てに同一の人物が含まれているか否かを判別する（ステップＳ４６）。
【０１３９】
差替え元の画像の全てに同一の人物が含まれている場合、制御部２１は、差替え候補素材から同一の人物が含まれている素材を除外する（ステップＳ４７）。これは、ユーザの指示により差替え元の素材を選択しているので、差替え元の素材に同一人物が含まれる画像は不要であると判断できるためである。
【０１４０】
同一の人物が含まれているか否かは、例えば、制御部２１が画像に対して画像処理を行い、人物検出処理や顔検出処理を行うことで判定できる。画像認識の結果は、例えば、個人認識情報、顔認識結果としてメモリ２４に蓄積される。
【０１４１】
一方、ステップＳ４６において差替え元の画像の全てに含まれる同一の人物がいない場合、制御部２１はステップＳ４８の処理に進む。
【０１４２】
続いて、制御部２１は、差替え候補素材からエッジが鮮明でない画像を除外する（ステップＳ４８）。これにより、撮影時にブレが生じていない鮮明な画像だけを対象にすることができる。
【０１４３】
エッジが鮮明か否かは、例えば、制御部２１が画像に対して画像処理を行い、エッジ抽出処理を行うことで判定できる。画像処理の結果は、例えばメモリ２４に蓄積される。
【０１４４】
続いて、制御部２１は、メモリ２４を参照し、差替え候補素材の中から、差替え元の画像と撮影日時が遠い画像を除外する（ステップＳ４９）。これにより、撮影日時が近い画像だけを差替え対象とすることができ、撮影日時を基準に差替え候補の画像を絞り込める。この後、図１２のステップＳ２８の処理に復帰する。
【０１４５】
このように、動画編集装置１Ａは、画像の特徴量を取得する特徴量取得部と、特徴量取得部によって取得された特徴量に基づき、編集後の動画に使用される画像を差替える画像差替え部１７と、を備える。特徴量取得部は、例えば制御部２１、画像選定部３である。
【０１４６】
動画編集装置１Ａによれば、ユーザが指定した差替え元の画像の特徴量を考慮して差替え候補の画像を絞込み、画像を差替えるので、編集後ムービーには、ユーザの意図に沿った画像だけを含めることができる。
【０１４７】
また、入力部は、画像差替え部１７による画像の差替え条件を入力し、画像差替え部１７は、入力部により画像の差替え条件として入力された画像の特徴量に基づき、編集後の動画に使用される画像を差替えてもよい。入力部は、例えば差替え条件指定部１８である。これにより、差替え条件を指定でき、ユーザの差替え理由を明確に反映できる。
【０１４８】
また、画像差替え部１７は、特徴量取得部によって取得された特徴量に基づき、差替え元の画像と差替え候補の画像とが類似するか相違するかを判別し、判別の結果に応じて、編集後の動画に使用される画像を差替えてもよい。これにより、差替え条件を入力しなくても、差替え元と差替え候補の特徴に基づいて、画像を差し替えられる。また、差替え条件を入力する場合であっても、例えばチェックボックスにより類似か相違かを指定することにより、操作が簡単になる。
【０１４９】
また、動画編集装置１Ａは、画像差替え部１７による差替え候補の画像が動画である場合、動画を所定区間毎に分割した画像を表示する表示部７を備えてもよい。これにより、また、差替え候補の画像が動画の場合、シーン毎又は時間毎に分割した画像（サムネイル）を表示できる。従って、静止画と同様の操作で動画の差し替えが可能であり、ユーザ操作が簡単になる。また、１階層目、２階層目のように差替え候補を階層的に表示すると、差替え候補の動画によるサムネイルの枚数が多くても、差替え候補の一覧が見やすくなる。
【０１５０】
また、入力部は、複数の前記差替え条件を入力し、画像差替え部１７は、複数の差替え条件として入力された複数の特徴量に基づき、編集後の動画に使用される画像を差替えてもよい。これにより、複数の差替え条件を指定でき、更にユーザの意図を反映して差替え候補の絞込みを行える。
【０１５１】
また、画像差替え部１７は、差替え元の画像と特徴量が共通しない画像を用いて、編集後の動画に使用される画像を差替えてもよい。これにより、差替え元の画像と特徴量が共通する画像を除外でき、ユーザが不要と判断した意図を反映させることができる。
【０１５２】
さらに、画像差替え部１７は、鮮明でない画像を差替え候補から除外してもよい。これにより、編集後ムービーの品質が向上する。
【０１５３】
さらに、画像差替え部１７は、差替え候補の画像として、差し替え元の画像の撮影日時と撮影日時が近い画像に絞ってもよい。これにより、差替え候補の画像が過多となることを回避でき、編集後ムービーのストーリ性を維持できる。
【０１５４】
（第４の実施形態）
従来の動画編集装置では、編集後ムービーをそのまま流すだけであると味気なく、例えば旅行に行った感覚を思い出せなかった。本実施形態では、例えば撮影時の感覚を想起できる動画編集装置について説明する。
【０１５５】
図１６は本発明の第４の実施形態における動画編集装置１Ｂの機能的構成例を示すブロック図である。動画編集装置１Ｂにおいて、第１の実施形態における動画編集装置１と同一の構成要素については、同一の符号を付すことにより、その説明を省略又は簡略化する。
【０１５６】
動画編集装置１Ｂは、情報端末に搭載され、ＵＩ部２Ｂ、画像選定部３、追加処理部４Ａ、及び動画編集部１６Ｂを備える。
【０１５７】
ＵＩ部２Ｂは、使用割合表示部１１、再生時間指定部１３、および情報入力部１９を備える。情報入力部１９は、例えば、テーマ、期間、移動距離の情報を入力する。テーマとは、撮影された画像に共通する特徴を示す情報であり、編集後ムービーの表題となる情報の一例である。期間とは、例えばメモリ２４に保持された画像の撮影時刻の範囲を示す。期間の情報は、例えばユーザが特定期間に撮影した画像を扱う場合に用いる。移動距離とは、例えばメモリ２４に保持された画像の撮影場所の距離を示す。移動距離の情報は、例えばユーザが特定エリアを移動して撮影した画像を扱う場合に用いる。
【０１５８】
追加処理部４Ａは、テロップテンプレート決定部２０を備える。テロップテンプレート決定部２０は、画像に挿入されるテロップテンプレート（テロップ情報）を決定（設定）する。テロップとは、画像の撮影時期、撮影場所などを提示するための補足情報の１つである。テロップ情報は、テロップの具体的な内容の情報、テロップの表示形式の情報、テロップ間隔の情報、を含む。
【０１５９】
テロップの具体的な内容の情報とは、旅行３日目の画像である場合、例えば「３日目」という内容の情報である。テロップの表示形式の情報とは、例えば表示部７によりテロップを表示する場合のテロップの表示形式を指定するための情報の１つである。例えば、具体的な内容を矩形で囲み、画面の右下に表示させる、という情報である。テロップ間隔とは、テロップが画像に挿入される間隔であり、全ての画像ではなく、特定の画像に挿入される。例えば、旅行３日目の画像にのみ、テロップが挿入される。
【０１６０】
動画編集部１６Ｂは、絞り込まれたファイルの一覧に含まれる各画像に対し、テロップテンプレート決定部２０により決定されたテロップテンプレートに応じてテロップを挿入してシナリオを修正し、編集後ムービーを作成する。
【０１６１】
次に、テロップテンプレートの具体例について説明する。
図１７（Ａ）〜（Ｃ）は、テーマ又は期間に対応するテロップテンプレートが保持されたテーブル８２を示す図である。
【０１６２】
図１７（Ａ）では、テーブル８２には、テーマ毎に、期間別のテロップテンプレートが登録されている。ここでは、パラメータの一例が期間であり、パラメータの値の範囲の一例が最大期間である。下記のテロップ情報の設定は、テロップテンプレート決定部２０により実行される。
【０１６３】
例えば、テーマが「旅行イベント」である場合、最大期間（閾値）が「１日」であると、つまり、旅行イベントが１日未満であると、「朝」、「昼」、「夕方」あるいは「夜」のテロップ情報が設定可能である。また、最大期間が「１０日」であると、「Ｘ日目」（例えば、１日目、３日目、５日目）のテロップ情報の設定が可能である。また、最大期間が「５０日」であると、「Ｘ周目」のテロップ情報が設定可能である。また、最大期間が「４００日」であると、「Ｘヶ月目」のテロップ情報が設定可能である。また、最大期間が４００日より長い場合、「Ｘ年目」のテロップ情報が設定可能である。
【０１６４】
また、テーマが「成長記録」である場合、最大期間が「１０日」であると、「Ｘ日目」のテロップ情報の設定が可能である。また、最大期間が「５０日」であると、「Ｘ周目」のテロップ情報が設定可能である。また、最大期間が「４００日」であると、「Ｘヶ月目」のテロップ情報が設定可能である。また、最大期間が４００日より長い場合、「Ｘ歳」のテロップ情報が設定可能である。
【０１６５】
また、テーマが「日常」である場合、最大期間が「１日」であると、「朝」、「昼」、「夕方」あるいは「夜」のテロップ情報が設定可能である。また、最大期間が「７日」であると、「Ｘ曜日」のテロップ情報の設定が可能である。また、最大期間が「５０日」であると、「ＸＸ／ＸＸ」のテロップ情報が設定可能である。ＸＸ／ＸＸは、複数の日付を示すものである。また、最大期間が「３００日」であると、「Ｘ月」のテロップ情報が設定可能である。また、最大期間が「４００日」であると、「春」、「夏」、「秋」、「冬」のテロップ情報が設定可能である。また、最大期間が４００日よりも長い場合、「２０××年」つまり西暦を示すテロップ情報が設定可能である。
【０１６６】
また、テーマが「記録」である場合、最大期間が「１分」であると、「ＸＸ秒」のテロップ情報が設定可能である。また、最大期間が「１時間」であると、「ＸＸ分」のテロップ情報の設定が可能である。また、最大期間が「１日」であると、「ＸＸ時」のテロップ情報が設定可能である。また、最大期間が「５０日」であると、「ＸＸ／ＸＸ」のテロップ情報が設定可能である。ＸＸ／ＸＸは、複数の日付を示すものである。また、最大期間が「４００日」であると、「Ｘ月」のテロップ情報が設定可能である。また、最大期間が４００日よりも長い場合、「２０××年」つまり西暦を示すテロップ情報が設定可能である。
【０１６７】
また、テーマが「思い出」である場合、最大期間が「１０日」であると、「Ｘ日前」のテロップ情報の設定が可能である。また、最大期間が「５０日」であると、「Ｘ週前」のテロップ情報が設定可能である。また、最大期間が「４００日」であると、「Ｘヶ月前」のテロップ情報が設定可能である。また、最大期間が４００日よりも長い場合、「Ｘ年前」のテロップ情報が設定可能である。
【０１６８】
このように、テーマ毎に、最大期間に対応するテロップテンプレートがテーブル８２としてメモリ２４に登録されている。また、テーブル８２の備考欄には、開始日が別途設定可能であることが示されている。
【０１６９】
また、図１７（Ｂ）に示すように、テーブル８３には、朝、昼、夕方、夜にそれぞれ対応する時間帯４時〜１１時、１１時〜１６時、１６時〜１８時、１８時〜４時の情報が登録されている。テーブル８３は、メモリ２４に格納され、時間テーブルの一例である。
【０１７０】
また、図１７（Ｃ）に示すように、テーブル８４には、春、夏、秋、冬にそれぞれ対応する期間３月〜５月、６月〜８月、９月〜１１月、１２月〜２月の情報が登録されている。テーブル８４は、メモリ２４に格納され、季節テーブルの一例である。
【０１７１】
図１７（Ａ）〜（Ｃ）の各テーブルは、必要に応じて相互に参照される。
【０１７２】
次に、動画編集装置１Ｂの動作例について説明する。
動画編集装置１Ｂの全体の動作は、第１の実施形態の図６で示した動作と同様である。
ここでは、図６のステップＳ１３において作成されたシナリオに対し、ステップＳ１４の追加処理（シナリオ修正動作）においてテロップを挿入する際の動画編集装置１Ｂの動作を示す。図１８は、動画編集装置１Ｂによるシナリオ修正動作手順を示すフローチャートである。この動作プログラムは、メモリ２４に格納され、主に制御部２１内のＣＰＵによって実行される。
【０１７３】
まず、制御部２１は、情報入力部１９によりテーマ及び期間が入力されたか否かを判別する（ステップＳ５１）。テーマ及び期間が入力されていない場合、図１８の処理を終了し、図６のステップＳ１５の処理に復帰する。
【０１７４】
一方、テーマ及び期間が入力された場合、画像選定部３は、メモリ２４に格納された画像のテーマ及び期間の情報を参照し、画像を選定する（ステップＳ５２）。この画像の選定では、画像選定部３は、図６のステップＳ１３において作成されたシナリオに含まれる画像の中から、テロップ付加候補の画像を選定する。また、画像選定部３は、テーマ及び期間が合致しない画像を、テーマ及び期間が合致する画像に置き換えてもよい。なお、画像選定部３は、作成されたシナリオに含まれる画像を対象としてもよいし、メモリ２４に保存されている全ての画像を対象として画像を選定し直してもよい。
【０１７５】
続いて、動画編集部１６Ｂは、テーマ及び期間に合致した画像を含む、テロップ無しのシナリオを作成する（ステップＳ５３）。
【０１７６】
続いて、テロップテンプレート決定部２０は、ステップＳ５１において入力されたテーマ及び期間をもとに、テーブル８２を参照し、該当するテロップ情報を決定する（ステップＳ５４）。
【０１７７】
続いて、動画編集部１６Ｂは、シナリオに含まれるテーマ及び期間に合致した画像に、テーマ及び期間に合致したテロップ情報に応じてテロップを挿入し、テロップ有りのシナリオを作成する（ステップＳ５５）。つまり、動画編集部１６Ｂは、補足情報挿入部としての機能を有する。この後、図１８の処理を終了し、図６のステップＳ１５の処理に復帰する。
【０１７８】
次に、テロップが挿入された画像の具体例について説明する。
図１９（Ａ）〜（Ｃ）は、テロップが挿入された画像の具体例を示す図である。
【０１７９】
動画編集部１６Ｂは、図１９（Ａ）に示すように、３日目の画像（写真又は動画）に切り替わった時に、画像８５の右下隅に、エフェクトとして「３日目」のテロップ８６が付加されよう、テロップ有りのシナリオを作成してもよい。
【０１８０】
また、動画編集部１６Ｂは、図１９（Ｂ）に示すように、２日目の画像から３日目の画像に切り替わる時に、「３日目」のテロップが記されたエフェクト画面８７が表示されるよう、テロップ有りのシナリオを作成してもよい。
【０１８１】
また、動画編集部１６Ｂは、図１９（Ｃ）に示すように、画像の表示中にテロップが常に表示されるよう、テロップ有りのシナリオを作成してもよい。例えば、２日目の画像８５には、「２日目」のテロップ８８が付加され、３日目の画像８５には、「３日目」のテロップ８９が付加される。
【０１８２】
このように、動画編集装置１Ｂは、前記編集後の動画に使用される画像に補足情報を挿入する補足情報挿入部と、画像のパラメータの値の範囲に基づき、補足情報挿入部により画像に挿入される補足情報の内容及び補足情報が挿入される間隔を決定する決定部と、を備える。補足情報は、例えばテロップである。
【０１８３】
また、決定部は、画像のパラメータの値の範囲と、編集後の動画のテーマと、に基づき、補足情報の内容及び補足情報が挿入される間隔を決定してもよい。
【０１８４】
動画編集装置１Ｂによれば、テーマ及び期間に応じて画像にテロップを挿入するので、編集後ムービーに面白味を付加でき、例えば旅行に行った感覚を思い出せる。また、テロップが表示される頻度を調整できる。また、期間の長さに応じてテロップを表示するタイミングが変わるので、編集後ムービー内に複数日にわたる様々なイベントが含まれる場合であっても、表示される画像が何日目の出来事に対応するものかが分かり易くなる。
【０１８５】
（第５の実施形態）
第５の実施形態における動画編集装置１Ｂは、第４の実施形態における動画編集装置１Ｂとほぼ同一の構成を有する。第５の実施形態における動画編集装置１Ｂにおいて、第４の実施形態における動画編集装置１Ｂと同一の構成要素については、同一の符号を用いることで、その説明を省略又は簡略化する。
【０１８６】
図２０は、テロップテンプレートが保持されたテーブル８２Ａを示す図である。テーブル８２Ａには、テーマ毎に、パラメータとして、総移動距離又は最大標高及び画像の総数別のテロップテンプレートが登録されている。
【０１８７】
なお、総移動距離は、例えば、シナリオに含まれる画像に付加されたＧＰＳ位置情報に基づいて認識可能である。例えば、テロップテンプレート決定部２０は、シナリオに含まれる各画像と前後の画像とのＧＰＳ位置情報の差から各移動距離を算出し、各移動距離を合計することで総移動距離を算出できる。
【０１８８】
また、最大標高は、例えば、シナリオに含まれる画像に付加されたＧＰＳ位置情報（高度情報）に基づいて認識可能である。例えば、テロップテンプレート決定部２０は、シナリオに含まれる各画像に付加されたＧＰＳ位置情報のうち、高度情報が最大のものを最大標高として検出できる。
【０１８９】
例えば、テーマが「ハイキング」又は「ドライブ」であり、総移動距離が「１０ｋｍ」未満である場合、シナリオに含まれる総数が１５枚を超えると、テロップテンプレート決定部２０は、３ｋｍ単位でテロップ情報を設定する。また、総数が３０枚を超えると、テロップテンプレート決定部２０は、１ｋｍ単位でテロップ情報を設定する。
【０１９０】
総移動距離が「２５ｋｍ」未満である場合、同様に、総数が１５枚を超えると、テロップテンプレート決定部２０は、５ｋｍ単位でテロップ情報を設定する。また、総数が３０枚を超えると、テロップテンプレート決定部２０は、３ｋｍ単位でテロップ情報を設定する。
【０１９１】
同様に、総移動距離が「１００ｋｍ」未満である場合、総数が１５枚を超えると、テロップテンプレート決定部２０は、１０ｋｍ単位でテロップ情報を設定する。また、総数が３０枚を超えると、テロップテンプレート決定部２０は、５ｋｍ単位でテロップ情報を設定する。
【０１９２】
また、テーマが「山登り」であり、最大標高が「１０００ｍ」つまり標高１０００ｍ未満である場合、総数が１５枚を超えると、テロップテンプレート決定部２０は、３００ｍ単位でテロップ情報を設定する。また、総数が３０枚を超えると、テロップテンプレート決定部２０は、１００ｍ単位でテロップ情報を設定する。
【０１９３】
最大標高が「２５００ｍ」である場合、総数が１５枚を超えると、テロップテンプレート決定部２０は、５００ｍ単位でテロップ情報を設定する。また、総数が３０枚を超えると、テロップテンプレート決定部２０は、３００ｍ単位でテロップ情報を設定する。
【０１９４】
同様に、最大標高が「１００００ｍ」である場合、総数が１５枚を超えると、テロップテンプレート決定部２０は、１０００ｍ単位でテロップ情報を設定する。また、総数が３０枚超えると、テロップテンプレート決定部２０は、５００ｍ単位でテロップ情報を設定する。
【０１９５】
次に、動画編集装置１Ｂの動作例について説明する。
動画編集装置１Ｂの全体の動作は、第１の実施形態の図６で示した動作と同様である。
ここでは、図６のステップＳ１３において作成されたシナリオに対し、ステップＳ１４の追加処理（シナリオ修正動作）においてテロップを挿入する際の動画編集装置１Ｂの動作を示す。図２１は、動画編集装置１Ｂによるシナリオ修正動作手順を示すフローチャートである。この動作プログラムは、メモリ２４に格納され、主に制御部２１内のＣＰＵによって実行される。なお、第４の実施形態と同一のステップ処理については、同一のステップ番号を付し、説明を省略する。図２１では、総移動距離を考慮した動作について説明する。
【０１９６】
まず、制御部２１は、つまり情報入力部１９からテーマが入力されたか否かを判別する（ステップＳ５１Ａ）。テーマが入力されていない場合、図２１の処理を終了し、図６のステップＳ１５の処理に復帰する。
【０１９７】
一方、テーマが入力された場合、制御部２１は、ＧＰＳ受信器２８を介して取得したＧＰＳ位置情報から総移動距離を計測する（ステップＳ５１Ｂ）。そして、ステップＳ５２の処理に進む。
【０１９８】
制御部２１は、ステップＳ５３の処理後、テーマ、総移動距離、シナリオに含まれる画像の総数をもとに、テーブル８２Ａを参照し、テロップテンプレートを決定する（ステップＳ５４Ａ）。テーマの情報は、ステップＳ５１Ａにおいて得られる。総移動距離の情報は、ステップＳ５１Ｂにおいて得られる。生成されたシナリオに含まれる画像の総数の情報は、ステップＳ５３において得られる。そして、ステップＳ５５の処理に進む。
【０１９９】
次に、テロップが挿入された画像の具体例について説明する。
図２２（Ａ）〜（Ｃ）は、テロップが挿入された画像の具体例を示す図である。
【０２００】
図２２（Ａ）では、テーマが「ハイキング」であり、総移動距離が１０ｋｍ未満であり、総数が３０枚を超える場合を示す。この場合、動画編集部１６Ｂは、１枚目の移動距離が０ｋｍの画像８５の後、１ｋｍを超えた２枚目の移動距離が２．３ｋｍである画像８５に対し、「２．３ｋｍ地」のテロップ９１を付加するよう、テロップ有りのシナリオを作成してもよい。
【０２０１】
図２２（Ｂ）では、テーマが「山登り」であり、標高が１０００ｍ未満であり、総数が１５枚を超える場合を示す。この場合、動画編集部１６Ｂは、１枚目の標高９０ｍの画像８５の後、３００ｍを超えた２枚目の標高８３０ｍの画像８５に対し、「標高８３０ｍ」のテロップ９２を付加するよう、テロップ有りのシナリオを作成してもよい。
【０２０２】
図２２（Ｃ）では、テーマが「ドライブ」である場合を示す。この場合、動画編集部１６Ｂは、テロップ９３が付加されたマップ画像８５Ａが表示されるよう、テロップ有りのシナリオを作成してもよい。テロップ９３は、例えば、ドライブのスタート地点「Ｓｔａｒｔ」からゴール地点「Ｅｎｄ」までの間における撮影地点及び撮影枚数を示す情報を含む。動画編集部１６Ｂは、マップ画像８５Ａを、エフェクト画面として例えばシナリオの先頭に挿入する。
【０２０３】
動画編集装置１Ｂによれば、画像のテーマ及び撮影場所に応じて画像にテロップを挿入するので、編集後ムービーに面白味を付加できる。また、移動距離に応じた内容及び間隔に応じてテロップを挿入するので、例えばドライブや山登りに行った感覚を思い出せる。また、シナリオに含まれる画像の総数に応じて、テロップの挿入間隔を変えることにより、テロップが表示される頻度を適切に調整できる。
【０２０４】
また、決定部は、画像のパラメータの値の範囲と、編集後の動画のテーマと、画像の総数に基づき、補足情報の内容及び前記補足情報が挿入される間隔を決定してもよい。これにより、総枚数を考慮してテロップを提示できるので、画像にテロップが挿入される間隔がより適切になる。従って、ユーザは画像撮影時の感覚を好適に想起できる。
【０２０５】
また、画像のパラメータは、編集後の動画に使用される画像が撮影された最初の撮影時刻と最後の撮影時刻との期間、編集後の動画に使用される画像が撮影された位置の総移動距離、又は、編集後の動画に使用される画像が撮影された位置の最高の標高、を含んでもよい。編集後の動画に使用される画像が撮影された最初の撮影時刻と最後の撮影時刻との期間は、例えば図１７に示された最大期間である。これにより、動画編集装置１Ｂは、各パラメータを考慮して、画像に対して適切にテロップを挿入できる。
【０２０６】
（変形例）
図２３は、図６のステップＳ１４におけるシナリオ修正動作手順の変形例を示すフローチャートである。図１８又は図２１と同一のステップ処理については、同一のステップ番号を付すことにより、説明を省略する。
【０２０７】
制御部２１は、ステップＳ５２において選定された画像の画像認識を行い、選定された画像中、最も出現率の高い人物を検出し、検出された人物の名前を取得する（ステップＳ５２Ａ）。
【０２０８】
この画像認識では、制御部２１は、例えば、画像から顔認識を行って個人を特定し、メモリ２４を参照して個人情報を取得してもよいし、画像に付加された情報から直接個人情報を取得してもよい。
【０２０９】
ステップＳ５４では、テロップテンプレート決定部２０は、ステップＳ５２Ａにおいて取得された個人情報に含まれる名前をテロップ情報に決定する。
【０２１０】
図２４は、テロップ情報が挿入された画像の具体例を示す図である。
例えば、テーマが「結婚式」である場合、動画編集部１６Ｂは、新郎と新婦の画像（写真）８５に対し、それぞれ「新郎」及び「×××」のテロップ９４、「新婦」及び「○○○」のテロップ９５を付加するよう、テロップ有りのシナリオを作成する。また、新郎又は新婦の判別には、画像認識を用いた男女判定を行ってもよい。
【０２１１】
図２３の処理により、シナリオに含まれる画像の中で最も出現率の高い人物を特定し、特定の人物を含む画像に対して、テロップを挿入できる。従って、編集後ムービーの視聴者は、瞬時に特定の人物を把握できる。
【０２１２】
なお、本発明は、上記実施形態の構成に限られるものではなく、特許請求の範囲で示した機能、または本実施形態の構成が持つ機能が達成できる構成であればどのようなものであっても適用可能である。
【０２１３】
また、本発明は、上記各実施形態の機能を実現する動画編集プログラムを、ネットワークあるいは各種記憶媒体を介して動画編集装置に供給し、この動画編集装置のコンピュータが読み出して実行する動画編集プログラムも適用範囲である。
【産業上の利用可能性】
【０２１４】
本発明は、ユーザの利便性が向上する動画編集装置、動画編集方法、及び動画編集プログラム等に有用である。
【符号の説明】
【０２１５】
１  動画編集装置
２、２Ａ、２Ｂ  ＵＩ部
３  画像選定部
４、４Ａ  追加処理部
５  情報端末
７  表示部
７ａ  決定キー
７ｂ  チェックマーク
１１  使用割合表示部
１２  ファイル選択部
１３  再生時間指定部
１４  使用割合計算部
１５  ファイル絞込み部
１６、１６Ａ、１６Ｂ  動画編集部
１７  画像差替え部
１８  差替え条件指定部
１９  情報入力部
２０  テロップテンプレート決定部
２１  制御部
２２  カメラ
２３  無線通信部
２４  メモリ
２５  音声入出力部
２６  操作部
２６ａ  ムービー作成ボタン
２６ｂ  素材変更ボタン
２６ｃ  完了ボタン
２６ｄ  動画マーク
２８  ＧＰＳ受信器
３１  フォルダ
３５  サムネイル画像
３８  再生時間選択ボタン
３９、４６  お薦め表示
４１  入力部
４３  説明ボタン
５０  撮影写真
５５、６５  丸印
６０  撮影動画
７０  編集後ムービー
８１、８２、８３、８４  テーブル
８５、８５Ａ  画像
８７  エフェクト画面
８８、８９、９１、９２、９３、９４、９５  テロップ
【図１】
2013232813.tif 000003
【図２】
2013232813.tif 000004
【図３】
2013232813.tif 000005
【図４】
2013232813.tif 000006
【図６】
2013232813.tif 000007
【図７】
2013232813.tif 000008
【図８】
2013232813.tif 000009
【図９】
2013232813.tif 000010
【図１０】
2013232813.tif 000011
【図１１】
2013232813.tif 000012
【図１２】
2013232813.tif 000013
【図１３】
2013232813.tif 000014
【図１４】
2013232813.tif 000015
【図１５】
2013232813.tif 000016
【図１６】
2013232813.tif 000017
【図１７】
2013232813.tif 000018
【図１８】
2013232813.tif 000019
【図１９】
2013232813.tif 000020
【図２０】
2013232813.tif 000021
【図２１】
2013232813.tif 000022
【図２２】
2013232813.tif 000023
【図２３】
2013232813.tif 000024
【図２４】
2013232813.tif 000025
【図５】
2013232813.tif 000026